(57)【要約】【課題】塗膜転写直後のベーステープの捩れを効果的に防止して、ベーステープが巻取リールに片寄って巻き取られることがないようにした塗膜転写具を提供する。【解決手段】転写ヘッド９を、供給リール７から繰り出される転写テープＴを被転写面Ｐに向けて押圧する第１ローラ１０と、この第１ローラ１０の上方に配置した第２ローラ１１とより形成するとともに、少なくとも転写時における転写テープＴの繰出し状態からベーステープＴ′の巻取り状態の間において、第１ローラ１０と第２ローラ１１とを互いに圧接させることにより、塗膜転写直後のベーステープＴ′を、挟圧状態をもって保持しうるようにする。【選択図】  図３
2010069827.tif 000002
【特許請求の範囲】
【請求項１】
ケース内に、ベーステープ上に塗膜を塗布した転写テープが巻回された供給リールを装填するとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたベーステープを、ケース内に装填した巻取リールに巻き取るようにした塗膜転写具において、
転写ヘッドを、供給リールから繰り出される転写テープを被転写面に向けて押圧する第１ローラと、この第１ローラの上方に配置した第２ローラとより形成するとともに、少なくとも転写時における転写テープの繰出し状態からベーステープの巻取り状態の間において、第１ローラと第２ローラとを互いに圧接させることにより、塗膜転写直後のベーステープを、挟圧状態をもって保持しうるようにしたことを特徴とする塗膜転写具。
【請求項２】
第１ローラと第２ローラとを、転写時の転写荷重をもって互いに圧接させるようにした請求項１記載の塗膜転写具。
【請求項３】
第１ローラと第２ローラの少なくともいずれか一方を、互いに圧接する方向に付勢した請求項１記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース内に、ベーステープ上に塗膜を塗布した転写テープが巻回された供給リールを装填するとともに、この供給リールから繰り出される転写テープを、ケースの前端開口に設けた転写ヘッドに向けて供給して、例えば被転写面である紙面上に塗膜を転写した後に、ベーステープを、ケース内に装填した巻取リールに向けて折り返して巻き取るようにしたものが公知である（例えば、特許文献１参照）。
【０００３】
このような塗膜転写具では、転写時に、転写ヘッドを紙面上に押圧しながら転写方向に向けて移動させることにより、転写テープを、供給リールから繰り出すとともに、この供給リールの回転力を、ギア列による動力伝達機構を介して、巻取リールに連係させて、巻取リールを回転させることによって、塗膜転写後のベーステープを巻取リールに巻き取らせるようになっている。
【０００４】
しかし、特許文献１に記載された特許文献１では、転写時に、特に転写ヘッドを、紙面上に沿って曲線を描くようにして移動させると、転写ヘッドから折り返された塗膜転写直後のベーステープが捩れ易く、その捩れたままの状態で巻取リールに片寄って巻き取られてしまう虞があるという問題があった。
【特許文献１】特開２００５−４７２０１号公報（図１）
【発明の開示】
【発明が解決しようとする課題】
【０００５】
本発明は、前記の現状に鑑み、塗膜転写直後のベーステープの捩れを効果的に防止して、ベーステープが巻取リールに片寄って巻き取られることがないようにした塗膜転写具を提供することを目的とする。
【課題を解決するための手段】
【０００６】
上記課題は、「特許請求の範囲」の欄における各請求項に記載するように、次のような構成からなる発明によって解決される。
（１）  ケース内に、ベーステープ上に塗膜を塗布した転写テープが巻回された供給リールを装填するとともに、この供給リールから繰り出される転写テープを、ケースの前端開口に設けた転写ヘッドに向けて供給して、転写テープの塗膜を被転写面に転写可能にし、かつ転写後の転写ヘッドを経て反転させたベーステープを、ケース内に装填した巻取リールに巻き取るようにした塗膜転写具において、転写ヘッドを、供給リールから繰り出される転写テープを被転写面に向けて押圧する第１ローラと、この第１ローラの上方に配置した第２ローラとより形成するとともに、少なくとも転写時における転写テープの繰出し状態からベーステープの巻取り状態の間において、第１ローラと第２ローラとを互いに圧接させることにより、塗膜転写直後のベーステープを、挟圧状態をもって保持しうるようにする。
【０００７】
（２）  上記（１）項において、第１ローラと第２ローラとを、転写時の転写荷重をもって互いに圧接させるようにする。
【０００８】
（３）  上記（１）項において、第１ローラと第２ローラの少なくともいずれか一方を、互いに圧接する方向に付勢する。
【発明の効果】
【０００９】
本発明によると、次のような効果が奏せられる。
請求項１記載の発明によると、転写ヘッドを、供給リールから繰り出される転写テープを被転写面に向けて押圧する第１ローラと、この第１ローラの上方に配置した第２ローラとより形成するとともに、少なくとも転写時における転写テープの繰出し状態からベーステープの巻取り状態の間において、第１ローラと第２ローラとを互いに圧接させることにより、塗膜転写直後のベーステープを、挟圧状態をもって保持しうるようにしてあるため、転写時に、転写ヘッドから折り返されたベーステープは、第１ローラによる被転写面に対する押圧点と、第１ローラと第２ローラによる挟圧点との間で緊張状態が維持されたままとなり、転写ヘッドを、被転写面上に沿って曲線を描くようにして移動させても、塗膜転写直後のベーステープに捩れが生じることがない。
これにより、ベーステープ捩れを効果的に防止することができ、ベーステープが巻取リールに片寄って巻き取られることがない。
【００１０】
請求項２記載の発明によると、第１ローラと第２ローラとを、転写時の転写荷重をもって互いに圧接させるようにしてあるため、転写時に、第１ローラと第２ローラとを確実に圧接させることができる。
【００１１】
請求項３記載の発明によると、第１ローラと第２ローラの少なくともいずれか一方を、互いに圧接する方向に付勢してあるため、第１ローラと第２ローラとを、常に圧接状態に維持させることができる。
【発明を実施するための最良の形態】
【００１２】
以下、本発明の実施形態を、添付図面を参照して説明する。
図１は、本発明の第１実施形態における塗膜転写具の転写時の使用状態を示す斜視図、図２は、塗膜転写具の不使用状態を示す縦断面図、図３は、同じく、塗膜転写具の転写時の使用状態を示す縦断面図である。
なお、以下の説明において、図１に示す左下から右上に至る方向を「前後方向」、左上から右下に至る方向を「左右方向」とする。
【００１３】
図１および図２に示すように、本発明の塗膜転写具１は、ケース２と、このケース２内に設けられた、互いに噛合させた供給ギア３および巻取ギア４からなるギア列による動力伝達機構５と、この動力伝達機構５に交換可能に装填されたテープカートリッジ６と、このテープカートリッジ６の供給リール７に巻回された転写テープＴを被転写面である紙面Ｐ上に向けて繰り出して案内し、かつ塗膜転写後のベーステープＴ′を前記カセットテープ６の巻取リール８に向けて折り返して案内する転写ヘッド９とより構成されている。
【００１４】
テープカートリッジ６は、供給リール７と巻取リール８とが前後に配置されて、互いに連係されているとともに、転写テープＴは、ベーステープＴ´上に塗膜を塗布した状態で供給リール６に巻回されており、前記ケース２の前端開口２ａから突出させた転写ヘッド９によって紙面Ｐ上に塗膜を転写した後、転写ヘッド９の前端において反転し、この反転した塗膜剥離後のベーステープＴ´を巻取リール８に巻き取るようになっている。
【００１５】
供給リール７は、図３に示すように、転写ヘッド９の前端を紙面Ｐ上に押圧して後方に引くことによって繰り出される転写テープＴによって回転され、その回転力は、動力伝達機構５の供給ギア３および巻取ギア４を介して、巻取リール８に伝達されるようになっている。
【００１６】
転写ヘッド９は、第１ローラ１０と、この第１ローラ１０の上方に配置した第２ローラ１１とより形成されている。
第１ローラ１０は、その回転軸１２が、ケース２の左右側壁に形成した上下方向に延びる長溝状の軸孔１３に沿って摺動自在にかつ回転自在に軸支されているとともに、第２ローラ１１は、その回転軸１４が、ケース２の左右側壁に形成した溝状の軸孔１５に回転自在に軸支されている。
【００１７】
供給リール７から繰り出される転写テープＴは、第１ローラ１０によって紙面Ｐに向けて押圧されるようになっているとともに、塗膜転写後のベーステープＴ´は、第１ローラ１０と第２ローラ１１との間を通って巻取リール８に向けて案内されるようになっている。
【００１８】
第１ローラ１０は、図２に示すように、不使用時には、ベーステープＴ´の張力により、第２ローラ１１から離間するように、下方に移動した位置にある。
転写時には、図３に示すように、ケース２を握持しながら、ケース２の前端上部を人差し指で紙面Ｐに向けて下方に押圧したときの転写ヘッド９に加わる転写荷重Ｆによって、第１ローラ１０を、ベーステープＴ´の張力に抗して、第２ローラ１１に向けて相対的に上方に移動させて、第１ローラ１０と第２ローラ１１とを互いに圧接させることにより、転写時における転写テープＴの繰出し状態からベーステープＴ´の巻取り状態の間において、塗膜転写直後のベーステープＴ´を、挟圧状態をもって保持しうるようになっている。
これにより、転写時に、ケース２を後方（図３に示す矢印Ｘ）に移動させることにより、供給リール７から繰り出される転写テープＴの塗膜が紙面Ｐ上に転写された後のベーステープＴ´を、第１ローラ１０をもって折り返して、巻取リール８に巻き取られるとき、少なくとも第１ローラ１０による紙面Ｐに対する押圧点と、第１ローラ１０と第２ローラ１１による挟圧点との間で、ベーステープＴ´が緊張状態に維持されたままとなっているため、転写ヘッド９が曲線を描くようにして、紙面Ｐ上を移動させられても、塗膜転写直後のベーステープＴ´には、捩れが生じることはない。
【００１９】
図４は、本発明の第２実施形態における塗膜転写具の転写ヘッドの不使用状態を示す要部拡大断面図である。
【００２０】
本実施形態においては、図４に示すように、転写ヘッド１６を構成する第２ローラ１７を、揺動杆１８を介して、第１ローラ１９に対して接離する前後方向に揺動可能に設けるとともに、前記揺動杆１８は、捩りばね２０によって、第２ローラ１７が第１ローラ１９と常に圧接状態を維持しうるように、付勢してなる構成を有する。
これにより、第１ローラ１９と第２ローラ１７は、常に圧接状態を維持し、転写時に、第１ローラ１９を紙面Ｐに押圧して圧接しながらケース２１を後方Ｘに移動させた際に、供給リール７から繰り出される転写テープＴの塗膜が紙面Ｐ上に転写された直後のベーステープＴ´が、挟圧状態をもって保持されながら、巻取リール２３に巻き取られる。
【図面の簡単な説明】
【００２１】
【図１】本発明の第１実施形態における塗膜転写具の転写時の使用状態を示す斜視図である。
【図２】塗膜転写具の不使用状態を示す縦断面図である。
【図３】同じく、塗膜転写具の転写時の使用状態を示す縦断面図である。
【図４】本発明の第２実施形態における塗膜転写具の転写ヘッドの不使用状態を示す要部拡大断面図である。
【符号の説明】
【００２２】
１    塗膜転写具
２    ケース
２ａ  前端開口
３    供給ギア
４    巻取ギア
５    動力伝達機構
６    テープカートリッジ
７    供給リール
８    巻取リール
９    転写ヘッド
１０  第１ローラ
１１  第２ローラ
１２  回転軸
１３  軸孔
１４  回転軸
１５  軸孔
１６  転写ヘッド
１７  第２ローラ
１８  揺動杆
１９  第１ローラ
２０  捩りばね
２１  ケース
２２  供給リール
２３  巻取リール
Ｆ    転写荷重
Ｔ    転写テープ
Ｔ′  ベーステープ
Ｘ    後方
【図１】
2010069827.tif 000003
【図２】
2010069827.tif 000004
【図３】
2010069827.tif 000005
【図４】
2010069827.tif 000006